(57)【特許請求の範囲】
【請求項１】
開口部の周囲を規定する第１縁部を有するケース部材と、
前記開口部を覆うように配置され、前記第１縁部と対向する第２縁部を有し、前記開口部を貫通する方向に対して傾いた着脱方向に前記ケース部材に固定されるための蓋部材と、
前記第１縁部と前記第２縁部との間に介在され、前記蓋部材が前記ケース部材に固定される際に前記着脱方向に圧縮されて前記第１縁部と前記第２縁部との間の隙間を塞ぐための環状の弾性部材と、
前記弾性部材に形成され、前記弾性部材が前記着脱方向に圧縮される際に、前記第１縁部と前記第２縁部との間の隙間が狭くなる側に配置される第１部分と、
前記弾性部材に形成され、前記弾性部材が前記着脱方向に圧縮される際に、前記第１縁部と前記第２縁部との間の隙間が広がる側に配置され、前記第１部分の前記着脱方向の寸法よりも大きい前記着脱方向の寸法を有する第２部分と、
を備える筐体の水密機構。
【請求項２】
前記第１部分は、前記着脱方向の前記ケース部材に近づく方向側に位置し、前記第２部分は、前記着脱方向の前記ケース部材から遠ざかる方向側に位置する請求項１に記載の筐体の水密機構。
【請求項３】
前記ケース部材及び前記蓋部材の内部に挿通されるケーブル部材と、
前記ケーブル部材が前記着脱方向に沿って延出されるように前記ケーブル部材を前記蓋部材に対して固定し、前記蓋部材を前記ケース部材に対して押さえる固定部と、
を備える請求項２に記載の筐体の水密機構を有する内視鏡。
【請求項４】
前記第２部分は、
前記着脱方向と交差する方向で前記蓋部材に沿う方向に延びた本体部と、
前記蓋部材に沿う方向に延びるとともに前記本体部に対して斜めになった傾斜部と、
を有し、
前記傾斜部を横切る方向の寸法は、前記第１部分の前記着脱方向の寸法よりも大きく、前記本体部の前記着脱方向の寸法よりも小さい請求項３に記載の内視鏡。
【請求項５】
開口部の周囲を規定する第１縁部を有するケース部材と、
前記開口部を覆うように配置され、前記第１縁部と対向する第２縁部を有し、前記開口部を貫通する方向に対して傾いた着脱方向に前記ケース部材に固定されるための蓋部材と、
前記第１縁部と前記第２縁部との間に介在され、前記蓋部材が前記ケース部材に固定される際に前記着脱方向に圧縮されて前記第１縁部と前記第２縁部との間の隙間を塞ぐための環状の弾性部材と、
前記弾性部材に形成され、前記弾性部材が前記着脱方向に圧縮される際に、前記第１縁部と前記第２縁部との間の隙間が狭くなる側に配置される第１部分と、
前記弾性部材に形成され、前記弾性部材が前記着脱方向に圧縮される際に、前記第１縁部と前記第２縁部との間の隙間が広がる側に配置され、前記第１部分の硬度よりも大きい硬度を有する第２部分と、
を備える筐体の水密機構。
【発明の詳細な説明】
【技術分野】
【０００１】
本発明は、孔内に挿入される導入装置等に用いられる筐体の水密機構に関する。
【背景技術】
【０００２】
一般に内視鏡のような孔内への導入装置は、例えば被検体内の病変部を観察、処置等するために被検体内に挿入される可撓性を有する挿入部と、この挿入部を所定の方向に湾曲させるための操作を行なう操作部（筐体）とを有する。【０００３】
操作部の防水ケースは、ケース本体と、カバー部材と、環状のリップパッキンと、を有している。ケース本体に対してカバー部材を組付ける際の装着方向は、ケース本体の開口部と正対する方向に対して斜めとなっている。
【先行技術文献】
【特許文献】
【０００４】
【特許文献１】特開２０１２−４７８８４号公報
【発明の概要】
【発明が解決しようとする課題】
【０００５】
上記のような導入装置は、洗浄して繰り返し使用されることを想定している。上記した操作部（筐体）では、パッキン等を利用して、防水性（水密性）を確保することが一般的である。従来技術では、カバー部材の装着方向によらずにパッキンの厚みや硬度が決められていたため、パッキンに対する圧力が相対的に小さい部分では水密が十分に取れないおそれがあった。そして、操作部の防水性を向上することは、操作部内への浸水による故障を防止できる点で、導入装置の信頼性の向上にもつながる。【０００６】
本発明の目的は、信頼性を向上した筐体の水密機構を提供することにある。
【課題を解決するための手段】
【０００７】
前記目的を達成するため、本発明の一つの形態に係る筐体の水密機構は、開口部の周囲を規定する第１縁部を有するケース部材と、前記開口部を覆うように配置され、前記第１縁部と対向する第２縁部を有し、前記開口部を貫通する方向に対して傾いた着脱方向に前記ケース部材に固定されるための蓋部材と、前記第１縁部と前記第２縁部との間に介在され、前記蓋部材が前記ケース部材に固定される際に前記着脱方向に圧縮されて前記第１縁部と前記第２縁部との間の隙間を塞ぐための環状の弾性部材と、前記弾性部材に形成され、前記弾性部材が前記着脱方向に圧縮される際に、前記第１縁部と前記第２縁部との間の隙間が狭くなる側に配置される第１部分と、前記弾性部材に形成され、前記弾性部材が前記着脱方向に圧縮される際に、前記第１縁部と前記第２縁部との間の隙間が広がる側に配置され、前記第１部分の前記着脱方向の寸法よりも大きい前記着脱方向の寸法を有する第２部分と、を備える。
【発明の効果】
【０００８】
上記の構成によれば、信頼性を向上した筐体の水密機構を提供できる。
【図面の簡単な説明】
【０００９】
【図１】図１は、第１実施形態の内視鏡装置の全体構成を示した斜視図である。
【図２】図２は、図１に示す内視鏡装置の内視鏡の操作部のケース部材および蓋部材を示した斜視図である。
【図３】図３は、図２に示す操作部の蓋部材の内側を示す正面図である。
【図４】図４は、図３に示すＦ４−Ｆ４線に沿った断面図である。
【図５】図５は、図３に示すＦ５−Ｆ５線に沿った断面図である。
【図６】図６は、図３に示すＦ６−Ｆ６線に沿った断面図である。
【図７】図７は、図３に示すＦ７−Ｆ７線に沿った断面図である。
【図８】図８は、図２に示す内視鏡の操作部周辺を中心軸を通る平面で切断して示した断面図である。
【図９】図９は、図８に示す操作部のケース部材に蓋部材を取り付ける工程を示した断面図である。
【図１０】図１０は、図９に示す蓋部材を取り付ける工程において、弾性部材の第１部分周りを拡大して示した断面図である。
【図１１】図１１は、図９に示す蓋部材を取り付ける工程において、弾性部材の第２部分周りを拡大して示した断面図である。
【図１２】図１２は、第２実施形態の内視鏡装置の操作部において、ケース部材に蓋部材を取り付ける工程を示した断面図である。
【図１３】図１３は、図１２に示す蓋部材を取り付ける工程において、弾性部材の第２部分周りを拡大して示した断面図である。
【図１４】図１４は、図１２に示す蓋部材を取り付ける工程において、弾性部材の第１部分周りを拡大して示した断面図である。
【発明を実施するための形態】
【００１０】
［第１の実施形態］  
図１は本発明の内視鏡装置の全体構成図を示す。図１に示すように、内視鏡装置１１は、内視鏡１２と、制御装置１３と、光源装置１４と、画像撮影装置１５と、送気・送水・吸引装置１６と、キーボード１７と、モニタ１８と、を有する。
【００１１】
光源装置１４は、制御装置１３の制御下で、内視鏡１２の後述する先端硬質部２１にある照明レンズに光を供給する。送気・送水・吸引装置１６は、制御装置１３の制御下で、内視鏡１２の先端硬質部２１にあるノズルに対して送気・送水を行ったり、ノズルを介して生体内から液体や組織等を吸引したりする。画像撮影装置１５は、制御装置１３の制御下で、内視鏡１２の先端硬質部２１の対物レンズを通して撮影された被検体の画像を画像処理してモニタ１８に表示する。
【００１２】
図１に示すように、内視鏡１２は、ユニバーサルコード２２と、操作部２３と、操作部２３に隣接して操作部２３と一体的に設けられたグリップ部２４と、グリップ部２４から延びて孔内（被検体）に挿入される挿入部２５と、を有する。ユニバーサルコード２２は、可撓性を備えるケーブル２２ａと、ケーブル２２ａの急な折れ曲がりや座屈を防止する折れ止め２２ｂを有する。操作部２３は、水密構造を適用した筐体の一例である。
【００１３】
内視鏡１２は、ユニバーサルコード２２を介して制御装置１３、光源装置１４、画像撮影装置１５、及び送気・送水・吸引装置１６に接続されている。
【００１４】
挿入部２５は、細長く可撓性を有する軟性部２６と、この軟性部２６の先端に設けられた湾曲部２７と、この湾曲部２７の先端に設けられた先端硬質部２１と、を備えている。
【００１５】
軟性部２６および湾曲部２７の内部には、湾曲部２７を図１に示すＵ方向及びＤ方向に湾曲させるための１対の第１ワイヤと、湾曲部２７をＵ方向及びＤ方向と直交するＲ方向及びＬ方向に湾曲させるための１対の第２ワイヤと、が挿通されている。湾曲部２７の内部は、挿入部２５の長手軸方向Ｌに沿って並んだ複数の湾曲駒が収納されている。先端硬質部２１には、対物レンズと、処置具挿通チャンネルと、照明レンズと、先端硬質部２１の先端面を洗浄する水や空気を供給したり、生体内の液体や組織等を吸引したりできるノズルと、が設けられている。
【００１６】
図１から図３、図８に示すように、操作部２３は、例えば合成樹脂材料等によって内部空間を有するように形成されたケース部材３１と、ケース部材３１に回転可能に取り付けられたＵＤノブ３２およびＲＬノブ３３と、ケース部材３１に設けられた開口部３４を覆う蓋部材３５と、ケース部材３１と蓋部材３５との間に介在される環状の弾性部材３６と、ケース部材３１内に収められた金属製で板状のフレーム３７と、フレーム３７からアーム状に突出した金属製の支持部３８と、支持部３８に取り付けられた円筒状で金属製の固定部４１と、固定部４１の周囲に設けられた第１ねじ部４２（雄ねじ）と、先端硬質部２１のノズルに送気・送水を行う第１ボタン４３と、ノズルを介して先端硬質部２１で吸引を行う第２ボタン４４と、を有する。固定部４１は、ケース部材３１から突出しており、蓋部材３５に設けられた孔部３５Ａを貫通するように設けられる。
【００１７】
図８に示すように、ユニバーサルコード２２の折れ止め２２ｂは、蓋部材３５の着脱方向Ｙに沿って延びている。ユニバーサルコード２２の折れ止め２２ｂの端部には、第１ねじ部４２と係合する第２ねじ部４５（雌ねじ）と、固定部４１に固定された際に蓋部材３５に当接する当接部４６と、が設けられている。ユニバーサルコード２２の折れ止め２２ｂは、固定部４１に固定されることで蓋部材３５を押さえることができ、蓋部材３５の固定具を兼ねている。ユニバーサルコード２２は、ケーブル部材の一例である。
【００１８】
図９に示すように、ケース部材３１および蓋部材３５は、例えば合成樹脂材料によって形成されている。ケース部材３１は、開口部３４の周囲を規定する第１縁部５１を有している。蓋部材３５は、本体部分５２と、本体部分５２からケース部材３１に向けて突出した第２縁部５３と、本体部分５２に設けられた孔部３５Ａと、孔部３５Ａの周囲に設けられ当接部４６が当接される受け部５４と、を有している。図３に示すように、第２縁部５３は、環状をなしており、蓋部材３５が開口部３４を覆った状態で第１縁部５１と対向する。図９に示すように、蓋部材３５は、開口部３４を貫通する方向に対して傾いた着脱方向Ｙに沿って開口部３４を覆ったり開口部３４から外れたりすることができる。フレーム３７は、例えば金属材料によって板状に形成されている。
【００１９】
図９に示すように、弾性部材３６は、蓋部材３５の第２縁部５３と一体的に成型される。弾性部材３６は、第１縁部５１と第２縁部５３との間に介在されている。弾性部材３６は、蓋部材３５が開口部３４を覆った際に着脱方向Ｙに圧縮されて第１縁部５１と第２縁部５３との間の隙間を塞ぐことができる。弾性部材３６は、例えばシリコンゴムで構成されている。弾性部材３６は、第２縁部５３に固定された土台部分５５と、土台部分５５から半円形に突出して第１縁部５１と接触することが可能な接触部５６と、を有している。
【００２０】
図３に示すように、弾性部材３６は、着脱方向Ｙにおいてケース部材３１に近づく方向側（図９において左側）に位置する第１部分６１と、着脱方向Ｙにおいてケース部材３１から遠ざかる方向側（図９において右側）に位置する第２部分６２と、第１部分６１と第２部分６２とを連結するとともに短辺を構成する第３部分６３と、第１部分６１と第２部分６２とを連結するとともに長辺を構成する第４部分６４と、を有する。このため、弾性部材３６は、略多角形の環状をなしているともいえる。さらに、第２部分６２は、ケース部材３１の着脱方向Ｙと交差する方向で蓋部材３５に沿う方向Ａに延びる本体部６２Ａと、蓋部材３５に沿う方向で本体部６２Ａに対して斜めになった傾斜部６２Ｂと、を含んでいる。
【００２１】
図６に示すように、第２部分６２の本体部６２Ａは、例えば、着脱方向ＹにおいてＴ２の寸法を有する。図７に示すように、第２部分６２の傾斜部６２Ｂは、例えば、傾斜部６２Ｂを横切る方向においてＴ３の高さ寸法を有する。図４に示すように第１部分６１は、着脱方向ＹにおいてＴ１の寸法を有する。図５に示すように、第３部分６３は、例えば、Ｔの高さ寸法を有する。同様に、第４部分６４についても図示省略したが、第４部分６４は、例えば、Ｔの高さ寸法を有する。本実施形態では、Ｔ＝Ｔ１＜Ｔ３＜Ｔ２である。より具体的には、寸法Ｔは、例えば１．８ｍｍ〜２．０ｍｍであり、寸法Ｔ３は、例えば２．１ｍｍ〜２．２ｍｍであり、寸法Ｔ２は、例えば２．３ｍｍ〜２．４ｍｍである。
【００２２】
なお、第２部分６２の本体部の寸法Ｔ２、および傾斜部６２Ｂの寸法Ｔ３は、第１部分６１の寸法Ｔ１よりも大きく、且つ第１部分６１の寸法Ｔ１の２倍以下の範囲で適宜に設定することができる。また、上記第１部分６１から第４部分６４の寸法は、これらにかかる力の大きさと向き（角度）からシミュレーションをすることで計算することができる。
【００２３】
続いて、図８から図１１を参照して、蓋部材３５をケース部材３１に固定する際の作業工程について説明する。図８に示すように、ケース部材３１の開口部３４に対して蓋部材３５を覆い、蓋部材３５の孔部３５Ａの内側に固定部４１を通しておく。続いて、図示しないケーブル２２ａを固定部４１に対して固定した後、固定部４１の第１ねじ部４２に対して折れ止め２２ｂの第２ねじ部４５を固定する。このとき、折れ止め２２ｂをその中心軸回りに回転させて、操作部２３側の固定部４１に対して折れ止め２２ｂを固定していくと、図８に示すように、折れ止め２２ｂは、開口部３４を貫通する方向に対して傾いた着脱方向Ｙに沿って操作部２３に近づく。そして折れ止め２２ｂの当接部４６が蓋部材３５の受け部５４に当接し、図９に示すように、蓋部材３５が折れ止め２２ｂとともに着脱方向Ｙに沿って押し込まれる。このとき、図８に示すように、蓋部材３５の移動方向（着脱方向Ｙ）のベクトルの成分には、開口部３４を貫通するＤ１方向の成分と、Ｄ１方向と交差（略直交）する方向Ｄ２の成分と、の両方が含まれている。
【００２４】
図１０に、弾性部材３６の第１部分６１の周辺において、弾性部材３６が着脱方向Ｙに圧縮される（折れ止め２２ｂで押し込まれる）直前の第１状態Ｓ１を２点鎖線で示し、弾性部材３６が着脱方向Ｙに圧縮された（折れ止め２２ｂで押し込まれた）第２状態Ｓ２を実線で示す。第１部分６１の周辺では、蓋部材３５が第１状態Ｓ１から第２状態Ｓ２に移動する際に、第１縁部５１と第２縁部５３との間の隙間が狭くなる。このため、第１部分６１は、第１縁部５１に対して十分な接触圧力を発揮することができる。
【００２５】
図１１に、弾性部材３６の第２部分６２の周辺において、弾性部材３６が着脱方向Ｙに圧縮される（折れ止め２２ｂで押し込まれる）直前の第１状態Ｓ１を２点鎖線で示し、弾性部材３６が着脱方向Ｙに圧縮された（折れ止め２２ｂで押し込まれた）第２状態Ｓ２を実線で示す。第２部分６２の周辺では、蓋部材３５が第１状態Ｓ１から第２状態Ｓ２に移動する際に、第１縁部５１と第２縁部５３との間の隙間が広がる。しかしながら、第２部分６２の本体部６２Ａの着脱方向における寸法Ｔ２は、第２部分６２の寸法Ｔ１に比べて大きく設定されている。このため、第２部分６２は、第１縁部５１に対して十分な接触圧力を発揮することができる。
【００２６】
図３を参照して、第２部分６２の傾斜部６２Ｂについて説明する。蓋部材３５が着脱方向Ｙに沿って第１状態Ｓ１から第２状態Ｓ２に移動する距離をＸとしたときに、第２部分６２の傾斜部６２Ｂを横切る方向（傾斜部６２Ｂのなした線分の法線方向）の移動距離は、Ｘｓｉｎαとなる。このため、蓋部材３５が着脱方向Ｙに移動する距離に比べて、第２部分６２の傾斜部６２Ｂを横切る方向の移動距離は小さくなる。また、第２部分６２の傾斜部６２Ｂの周辺では、蓋部材３５が第１状態Ｓ１から第２状態Ｓ２に移動する際に、第１縁部５１と第２縁部５３との間の隙間が広がることになる。しかしながら、傾斜部６２Ｂ周辺の隙間の広がりの程度は、本体部６２Ａ周辺の広がりの程度に比して小さい。このため、傾斜部６２Ｂを横切る方向における傾斜部６２Ｂの寸法Ｔ３は、第１部分６１の寸法Ｔ１よりも大きく、且つ、第２部分６２の本体部６２Ａの寸法Ｔ２に比べて小さく設定されている。これによって、傾斜部６２Ｂにおいて十分な接触圧力が確保される。同様に、弾性部材３６の第３部分６３および第４部分６４においても十分な接触圧力が確保される。
【００２７】
第１実施形態によれば、筐体の水密機構は、開口部３４の周囲を規定する第１縁部５１を有するケース部材３１と、開口部３４を覆うように配置され、第１縁部５１と対向する第２縁部５３を有し、開口部３４を貫通する方向に対して傾いた着脱方向Ｙにケース部材３１に固定されるための蓋部材３５と、第１縁部５１と第２縁部５３との間に介在され、蓋部材３５がケース部材３１に固定される際に着脱方向Ｙに圧縮されて第１縁部５１と第２縁部５３との間の隙間を塞ぐための環状の弾性部材３６と、弾性部材３６に形成され、弾性部材３６が着脱方向Ｙに圧縮される際に、第１縁部５１と第２縁部５３との間の隙間が狭くなる側に配置される第１部分６１と、弾性部材３６に形成され、弾性部材３６が着脱方向Ｙに圧縮される際に、第１縁部５１と第２縁部５３との間の隙間が広がる側に配置され、第１部分６１の着脱方向Ｙの寸法よりも大きい着脱方向Ｙの寸法を有する第２部分６２と、を備える。
【００２８】
この構成によれば、第１状態Ｓ１から第２状態Ｓ２に移動する際に第１縁部５１と第２縁部５３との間の隙間が広がる第２部分６２において、弾性部材３６の接触圧力が低下して、この部分から浸水してしまうことを防止できる。これによって、筐体の水密性（防水性）を向上して浸水に起因する故障を防止することができ、これが適用される導入装置等の信頼性を向上できる。
【００２９】
第１部分６１は、前記着脱方向Ｙのケース部材３１に近づく方向側に位置し、第２部分６２は、着脱方向Ｙのケース部材３１から遠ざかる方向側に位置する。この構成によれば、接触圧力が低下しやすい着脱方向Ｙのケース部材３１から遠ざかる方向側にある弾性部材３６において、シール切れを防止して当該部分からの浸水を防止できる。
【００３０】
筐体の水密機構は、ケース部材３１及び蓋部材３５の内部に挿通されるケーブル部材と、前記ケーブル部材が着脱方向Ｙに沿って延出されるように前記ケーブル部材を蓋部材３５に対して固定し、蓋部材３５をケース部材３１に対して押さえる固定部４１と、を備える。この構成によれば、ケーブル部材によって蓋部材３５を固定できるため、蓋部材３５を固定するための固定具が別途に不要となり部品点数を削減できる。また、蓋部材３５を固定するためのねじを通すための孔も不要とすることができ、当該孔から浸水してしまう危険性もない。
【００３１】
第２部分６２は、着脱方向Ｙと交差する方向で蓋部材３５に沿う方向Ａに延びた本体部６２Ａと、蓋部材３５に沿う方向に延びるとともに本体部６２Ａに対して斜めになった傾斜部６２Ｂと、を有し、傾斜部６２Ｂを横切る方向の寸法は、第１部分６１の着脱方向Ｙの寸法よりも大きく、本体部６２Ａの着脱方向Ｙの寸法よりも小さい。蓋部材３５が第１状態Ｓ１から第２状態Ｓ２に移動する際には、着脱方向Ｙの移動量に比して傾斜部６２Ｂを横切る方向の移動量は小さくなる。この構成によれば、傾斜部６２Ｂにおいて傾斜部６２Ｂを横切る方向における寸法を適切な範囲内で設定することができ、傾斜部６２Ｂにおいてシール切れ（浸水）を生じてしまうことを防止することができる。
【００３２】
［変形例］  
続いて、第１実施形態の変形例について説明する。この変形例では、第１実施形態とは異なり、第１部分６１と第２部分６２との間で着脱方向Ｙにおける寸法および断面積は同じである。しかしながら本変形例では、第１部分６１と第２部分６２との間で弾性部材３６（ゴム）の硬度を互いに異なる値にしている。
【００３３】
すなわち、弾性部材３６が着脱方向Ｙに圧縮される際に、第１縁部５１と第２縁部５３との間の隙間が狭くなる側の第１部分６１では、第２部分６２よりも硬度（硬さ）を小さくしている。具体的には、第１部分６１の硬度は、ISO 7619、JIS K 6253等の規格に対応した一般ゴム（中硬さ）用のタイプＡデュロメータで測定した硬度で、例えば５０度に調整される。弾性部材３６が着脱方向Ｙに圧縮される際に、第１縁部５１と第２縁部５３との間の隙間が広がる側の第２部分６２では、第１部分６１よりも硬度（硬さ）を大きくしている。具体的には、第１部分６１の硬度は、上記タイプＡデュロメータで測定した硬度で、例えば６０度に調整される。
【００３４】
本変形例によれば、第２部分６２の硬度を第１部分６１の硬度よりも大きくしている。このため、弾性部材３６の第２部分６２の周りにおいて、浸水を生ずることを防止することができる。これによって、筐体の水密構造が適用される導入装置等の信頼性を向上できる。
【００３５】
［第２の実施形態］  
図１３から図１４を参照して、第２実施形態の内視鏡装置について説明する。第２実施形態の内視鏡装置１１は、ケース部材３１の形状および蓋部材３５の形状が第１の実施形態のものと異なっているが、他の部分は第１実施形態と共通している。このため、主として第１実施形態と異なる部分について説明し、第１実施形態と共通する部分については図示或いは説明を省略する。
【００３６】
ケース部材３１および蓋部材３５は、例えば合成樹脂材料によって形成されている。ケース部材３１は、開口部３４の周囲を規定する第１縁部５１を有している。第１縁部５１は、蓋部材３５のある方向に向かって突出している。
【００３７】
蓋部材３５は、本体部分５２と、本体部分５２からケース部材３１に向けて突出した第２縁部５３と、本体部分５２に設けられた孔部３５Ａと、孔部３５Ａの周囲に設けられ当接部４６が当接される受け部５４と、を有している。第２縁部５３は、環状をなしており、蓋部材３５が開口部３４を覆った状態で第１縁部５１と対向する。蓋部材３５が開口部３４を覆った状態で、第２縁部５３は、第１縁部５１の外側に位置している。蓋部材３５は、着脱方向Ｙに沿って開口部３４を覆ったり開口部３４から外れたりすることができる。孔部３５Ａの内側にケース部材３１の内側方向から延びる固定部４１が通される。フレーム３７は、例えば金属板金によって形成されている。
【００３８】
弾性部材３６は、第１実施形態と同様に、環状をなしている。本実施形態において、弾性部材３６は、ケース部材３１の第１縁部５１と一体的に成型されている。弾性部材３６は、例えばシリコンゴムで構成されている。弾性部材３６は、第１縁部５１に固定された土台部分５５と、土台部分５５から半円形に突出して第２縁部５３と当接することが可能な接触部５６と、を有している。
【００３９】
弾性部材３６は、着脱方向Ｙにおいてケース部材３１から遠ざかる方向側（図１３において右側）に位置する第１部分６１と、着脱方向Ｙにおいてケース部材３１に近づく方向側（図１３において左側）に位置する第２部分６２と、第１部分６１と第２部分６２とを連結するとともに短辺を構成する第３部分６３と、第１部分６１と第２部分６２とを連結するとともに長辺を構成する第４部分６４と、を有する。第２部分６２は、ケース部材３１の着脱方向Ｙと交差する方向に延びる本体部６２Ａと、本体部６２Ａおよび着脱方向Ｙに対して斜めになった傾斜部６２Ｂと、を有している。
【００４０】
第１実施形態と同様に、第２部分６２の本体部６２Ａは、例えば、着脱方向ＹにおいてＴ２の寸法を有する。第２部分６２の傾斜部６２Ｂは、例えば、傾斜部６２Ｂを横切る方向においてＴ３の高さ寸法を有する。第１部分６１は、着脱方向ＹにおいてＴ１の寸法を有する。第３部分６３は、例えば、Ｔの高さ寸法を有する。第４部分６４は、例えば、Ｔの高さ寸法を有する。本実施形態では、Ｔ＝Ｔ１＜Ｔ３＜Ｔ２である。より具体的には、寸法Ｔは１．８ｍｍ〜２．０ｍｍであり、寸法Ｔ３は２．１ｍｍ〜２．２ｍｍであり、寸法Ｔ２は、２．３ｍｍ〜２．４ｍｍである。なお、第２部分６２の本体部６２Ａの寸法Ｔ２、および傾斜部６２Ｂの寸法Ｔ３は、第１部分６１の寸法Ｔ１よりも大きく、且つ第１部分６１の寸法Ｔ１の２倍以下の範囲で適宜に設定することができる。
【００４１】
続いて、図１３から図１４を参照して、蓋部材３５でケース部材３１の開口部３４（第１縁部５１）を覆う際の作業工程について説明する。まず予め、蓋部材３５の孔部３５Ａの内側に固定部４１を通しておく。続いて、図示しないケーブル２２ａを固定部４１に対して固定した後、固定部４１の第１ねじ部４２に対して折れ止め２２ｂの第２ねじ部４５を固定する。このとき、折れ止め２２ｂを回転させて操作部２３側の固定部４１に固定していくと、図１３に示すように、折れ止め２２ｂは、開口部３４を貫通する方向Ｄ１に対して傾いた着脱方向Ｙに沿って操作部２３に近づく。そして折れ止め２２ｂの当接部４６が蓋部材３５の受け部５４に当接し、折れ止め２２ｂとともに蓋部材３５が着脱方向Ｙに沿って押し込まれる。このとき、図１３に示すように、蓋部材３５の移動方向（着脱方向Ｙ）のベクトルの成分には、開口部３４を貫通する方向Ｄ１の成分と、方向Ｄ１と交差（略直交）する方向の成分Ｄ２と、の両方が含まれている。
【００４２】
図１４に、弾性部材３６の第２部分６２の周辺において、弾性部材３６が着脱方向Ｙに圧縮される（折れ止め２２ｂで押し込まれる）直前の第１状態Ｓ１を２点鎖線で示し、弾性部材３６が着脱方向Ｙに圧縮された（折れ止め２２ｂで押し込まれた）第２状態Ｓ２を実線で示す。第２部分６２の周辺では、蓋部材３５が第１状態Ｓ１から第２状態Ｓ２に移動する際に、第１縁部５１と第２縁部５３との間の隙間が広がる。しかしながら、第２部分６２の本体部６２Ａの着脱方向Ｙにおける寸法Ｔ２は、第１部分６１の寸法Ｔ１に比べて大きく設定されている。このため、第２部分６２は、第２縁部５３に対して十分な接触圧力を発揮することができる。第２部分６２の傾斜部６２Ｂにおいても同様である。
【００４３】
図１５に、弾性部材３６の第１部分６１の周辺において、弾性部材３６が着脱方向Ｙに圧縮される（折れ止め２２ｂで押し込まれる）直前の第１状態Ｓ１を２点鎖線で示し、弾性部材３６が着脱方向Ｙに圧縮された（折れ止め２２ｂで押し込まれた）第２状態Ｓ２を実線で示す。第１部分６１の周辺では、蓋部材３５が第１状態Ｓ１から第２状態Ｓ２に移動する際に、第１縁部５１と第２縁部５３との間の隙間が狭くなる。このため、第１部分６１は、第２縁部５３に対して十分な接触圧力を発揮することができる。
【００４４】
第２実施形態によれば、ケース部材３１側に弾性部材３６が固定される場合であっても、第１状態Ｓ１から第２状態Ｓ２に移動する際に第１縁部５１と第２縁部５３との間の隙間が広がる第２部分６２において、浸水を生じることを防止して筐体の水密機構を適用した導入装置の信頼性を向上できる。
【００４５】
本発明は、上述した実施の形態に限定されるものではなく、その要旨を逸脱しない範囲で適宜変形実施することができる。また、上記各実施形態の内視鏡装置を組み合わせて一つの内視鏡装置を構成することもできる。
【００４６】
上記各実施形態では筐体の水密機構の一例として内視鏡１２の操作部２３を例に説明した。このような操作部２３を有する内視鏡１２の他の例には、光源装置及び先端硬質部の照明レンズ等を含む照明光学系が存在しないものや、画像撮影装置、モニタ及び先端硬質部の対物レンズ等を含む観察光学系が存在しないものが含まれる。
【符号の説明】
【００４７】
１１…内視鏡装置、１２…内視鏡、３１…ケース部材、３４…開口部、３５…蓋部材、３５Ａ…孔部、３６…弾性部材、４１…固定部、５１…第１縁部、５３…第２縁部、６１…第１部分、６２…第２部分、６２Ａ…本体部、６２Ｂ…傾斜部、Ｓ１…第１状態、Ｓ２…第２状態、Ｙ…着脱方向。
【図１】
0005974207.tif 000002
【図２】
0005974207.tif 000003
【図３】
0005974207.tif 000004
【図４】
0005974207.tif 000005
【図５】
0005974207.tif 000006
【図６】
0005974207.tif 000007
【図７】
0005974207.tif 000008
【図８】
0005974207.tif 000009
【図９】
0005974207.tif 000010
【図１０】
0005974207.tif 000011
【図１１】
0005974207.tif 000012
【図１２】
0005974207.tif 000013
【図１３】
0005974207.tif 000014
【図１４】
0005974207.tif 000015